(57)【要約】  分析及び／又は評価のための画像の取込を可能にするための画像取込デバイスと共に使用するためのツール。ツールは、少なくとも１つの壁によって接続されている第１の端部と、第２の端部とを含み、第１の端部と第２の端部との間の距離は所定である。第１の端部は、画像取込のための使用者の標的顔領域を取り囲む表面上に配置されるように構成されており、第２の端部は、画像取込デバイスを受容するように構成されている。第２の端部は、第１の端部に面する内面と、外面とを含む。ツールはまた、第１の端部の配置を面の上に位置合わせするために、所定の位置で第２の端部の内面に位置付けられた反射デバイスも含み、その結果、使用者が反射デバイスの所定の対象の反射を位置付けることを可能にすることによって、標的顔領域が、画像取込のために取り囲まれるようになる。
2021515640.tif 000002
【特許請求の範囲】
【請求項１】
良質画像の取込を可能にするための画像取込デバイスと共に使用するためのツールであって、
少なくとも１つの壁によって接続されている第１の端部及び第２の端部であって、前記第１の端部が、画像取込用の使用者の標的顔領域を取り囲む表面上に配置されるように構成され、前記第２の端部が、前記画像取込デバイスを受容するように構成され、前記第２の端部が、前記第１の端部及び外面に面する内面を備える、第１の端部及び第２の端部と、
前記第１の端部の前記配置を前記面の上に位置合わせするために、前記第２の端部の前記内面に位置付けられる反射デバイスであって、前記使用者が前記反射デバイスの所定の対象の前記反射を位置付けることを可能にすることによって、前記標的顔領域が画像取込のために取り囲まれるようにする、反射デバイスと、を備え、
前記第１の端部と前記第２の端部との間の距離が所定のものであり、前記第２の端部の前記内面における前記反射デバイスの前記位置付けが所定のものであり、前記使用者が前記反射デバイスの前記所定の対象の前記反射を位置付けるとき、前記標的顔領域の良質画像が前記画像取込デバイスによって取込まれ得る、ツール。
【請求項２】
前記第１の端部と前記第２の端部との間の前記所定の距離が、前記画像取込デバイスの最小焦点距離に対応する、請求項１に記載のツール。
【請求項３】
前記第１の端部と前記第２の端部との間の前記所定の距離が、８０ｍｍ〜６００ｍｍの範囲である、請求項１又は２のいずれか一項に記載のツール。
【請求項４】
前記画像取込のための前記標的顔領域が、以下の顔領域、すなわち頬領域、鼻領域、額領域、口領域、顎領域、１本以上の歯、眼窩周囲領域、及び顔全体の領域のうちのいずれか１つを備える、請求項１〜３のいずれか一項に記載のツール。
【請求項５】
前記第１の端部及び前記第２の端部のそれぞれの表面積が、１，０００ｍｍ２〜３３，０００ｍｍ２の範囲である、請求項１〜４のいずれか一項に記載のツール。
【請求項６】
前記第２の端部が、前記画像取込デバイスのレンズ側の面が前記第２の端部の前記外面に隣接しているときに、前記画像取込デバイスのレンズを配置するための窓を備える、請求項１〜５のいずれか一項に記載のツール。
【請求項７】
前記画像取込デバイスのレンズ側の面が前記第２の端部の前記外面に隣接しているとき、前記反射デバイスの前記所定の位置付けが、前記画像取込デバイスのレンズに対して３ｍｍ〜１０６ｍｍの距離にある、請求項１〜６のいずれか一項に記載のツール。
【請求項８】
前記反射デバイスの前記反射表面積が、８０ｍｍ２〜６５０ｍｍ２の範囲である、請求項の１〜７いずれか一項に記載のツール。
【請求項９】
前記第２の端部の前記内面が、前記少なくとも１つの壁と角度を形成し、前記角度が、８０度〜１３５度、好ましくは９０度〜１３５度の範囲である、請求項１〜８のいずれか一項に記載のツール。
【請求項１０】
前記画像取込デバイスのレンズ側の面が前記第２の端部の前記外面に隣接するように、前記ツールを前記画像取込デバイスに接続するためのコネクタを更に備える、請求項１〜９のいずれか一項に記載のツール。
【請求項１１】
前記コネクタが、接着剤、フックアンドループファスナー、磁気ファスナー、クリップファスナー、弾性ファスナー、及び吸引カップファスナーからなる群から選択される、請求項１０に記載のツール。
【請求項１２】
前記ツールが、紙、板紙、ポリスチレン、ポリスチレンテレフタレート、ポリプロピレン、及びシリコンゴムからなる群から選択される１つ以上の材料から作製される、請求項１〜１１のいずれか一項に記載のツール。
【請求項１３】
前記画像取込デバイスが、モバイル機器若しくはスマートデバイス、好ましくは携帯電話、スマートフォン、タブレット、ラップトップ、腕時計、若しくはパーソナルデジタルアシスタントの一部であるか、パーソナルコンピュータの一部であるか、ハンドヘルドカメラである、請求項１〜１２のいずれか一項に記載のツール。
【請求項１４】
前記ツールが、前記使用者が前記反射デバイスの前記所定の対象の前記反射を位置付けるときに、前記画像取込デバイスによる自動画像取込を可能にするための、前記所定の対象に対する認識特徴を有するソフトウェアアプリケーションと共に使用される、請求項１〜１３のいずれか一項に記載のツール。
【請求項１５】
前記所定の対象が、前記使用者の眼、前記使用者の眉、前記眼窩周囲領域の前記使用者の１つ以上の笑い線若しくは目尻の足、又は眼窩周囲領域若しくは顔領域の基準点であり、好ましくは前記所定の対象が前記使用者の眼である、請求項１〜１４のいずれか一項に記載のツール。
【発明の詳細な説明】
【技術分野】
【０００１】
本発明は、良質画像の取込を可能にするために画像取込デバイスと共に使用するためのデバイス又はツール及びその方法に関し、より詳細には、使用者が一貫した様式で自分自身で顔の良質画像を取込むことを可能にするために、画像取込デバイスと共に使用するためのデバイス又はツールであって、取込まれた画像が再現可能であり、分析及び／又は評価に適しているデバイス又はツールに関する。
【背景技術】
【０００２】
肌のカウンセリング又は顔の肌のカウンセリングは、典型的には使用者の１つ以上の取込まれた顔の画像に基づいて、使用者の顔の肌を分析及び／又は評価するための肌撮像システム又はツールの使用を伴う。肌撮像システム又はツールは、肌の状態及び肌の変化を検出、追跡、及び／又はモニタするために非常に有用である。このような肌撮像システム又はツールは、典型的には、内蔵された画像取込能力を有する。
【０００３】
取込まれる顔の画像の質は、評価の正確性に影響を及ぼす可能性があるため、肌の撮像において重要な役割を果たす。顔の画像は、一貫した様式で取込まれ、再現可能であるべきものである。例えば、標的顔領域の肌の変化を経時的に正確にモニタするためには、標的顔領域の画像が取込まれるたびに、例えば１ヶ月の期間にわたって１週間に１回、肌撮像システム又はツールが画像取込のため置かれる顔の配置、周囲の明暗状態、及び焦点距離などの因子は、結果として得られる画像が一貫した様式で取込まれ、分析及び／又は評価のために再現可能であるように、可能な限り一貫して保たれるべきである。
【０００４】
一貫しており、再現可能である良質画像を取込むことができる顔の肌のカウンセリングに使用される現在の肌撮像システム又はツールは、典型的には、スキンクリニック又は化粧品売り場において見出され、皮膚科医、皮膚治療の専門家、又は美容相談員によって操作されている。このような肌撮像システムは高価であり、大規模では展開し難い。更に、肌用製品又は顔用製品の購入時に店頭よりも電子商取引を好む消費者の数が増えた場合、そのような消費者は、所望の顔領域の画像を、一貫した様式で、再現可能であり更なる分析及び／又は評価に適するように取込むのを補助するためのいずれのツールやデバイスもなしに、家庭での肌のセルフカウンセリングを行うのが困難である。このようなツール又はデバイスがない場合、画像は様々な明暗状態の下で取込まれる場合がある。その状態が、再現可能ではなく、分析及び／又は評価に適さない場合がある。画像が取込まれるたびに所望の顔領域に対するカメラの焦点距離及び配置などの因子を一貫して維持することが困難であるため、消費者が同一の所望の顔領域の複数の画像を経時的に取込もうとするとき、問題が悪化し得る。
【発明の概要】
【発明が解決しようとする課題】
【０００５】
したがって、使用者が、一貫した様式で自分自身で顔の良質画像を取込むことを可能にするために、画像取込デバイスと共に使用するのに好適であり、取込まれた画像は再現可能であり、分析及び／又は評価に適している、低コストのデバイス又はツールに対する必要性がある。
【課題を解決するための手段】
【０００６】
本発明は、良質画像の取込を可能にするために画像取込デバイスと共に使用するためのツールに関する。ツールは、少なくとも１つの壁によって接続されている第１の端部と、第２の端部とを備え、第１の端部と第２の端部との間の距離は所定である。第１の端部は、画像取込のための使用者の標的顔領域を取り囲む表面上に配置されるように構成されており、第２の端部は、画像取込デバイスを受容するように構成されている。第２の端部は、第１の端部に面する内面と、外面とを備える。ツールはまた、第１の端部の配置を面の上に位置合わせするために、所定の位置で第２の端部の内面に位置付けられた反射デバイスも備え、その結果、使用者が反射デバイスの所定の対象の反射を位置付けることを可能にすることによって、標的顔領域が、画像取込のために取り囲まれるようになる。使用者が所定の対象の反射を鏡において位置付けると、標的顔領域の良質画像が、画像取込デバイスによって取込まれ得る。
【０００７】
本発明のこれらの及びその他の態様は、以下の発明を実施するための形態を読むことにより、更に明らかになるであろう。
【図面の簡単な説明】
【０００８】
前述の一般的な説明及び以下の詳細な説明は両方とも、種々の実施形態を説明し、特許請求される発明の主題の本質及び特徴を理解するための概観又は骨組みを提供することが意図されることを理解されたい。添付の図面は、種々の実施形態の更なる理解を提供するために含められたものであり、本明細書の一部に組み込まれると共に本明細書の一部をなすものである。図面は、本明細書に記述される種々の実施形態を例示し、説明と共に、特許請求される発明の主題の原理及び動作を説明する役割を果たす。
【０００９】
本発明は、これより添付の図面を参照して、単なる例証として説明される。
【図１】本発明による、標的顔領域の良質画像の取込を可能にするために画像取込デバイスと共に使用するためのツールの斜視図である。
【図２】使用者による使用時の、図１のツールの側面図である。
【図３Ａ】本発明による、ツールを提供するように構成されたデザイン部分が製品カートンの表面に印刷されている、折り畳まれていない製品カートンの平面図である。
【図３Ｂ】図３Ａの製品カートンの４つの外部パネルの平面図である。
【図３Ｃ】図３Ａの製品カートンの４つの外部パネルの平面図である。
【図３Ｄ】図３Ａの製品カートンの４つの外部パネルの平面図である。
【図３Ｅ】図３Ａの製品カートンの４つの外部パネルの平面図である。
【図３Ｆ】折り畳まれたときの図３Ａの製品カートンの斜視図である。
【図３Ｇ】折り畳まれたときの図３Ａの製品カートンの斜視図である。
【図３Ｈ】図３Ａの製品カートンから除去されたデザイン部分の平面図である。
【図４Ａ】本発明による製品カートンの表面上にツールを提供するように構成されたデザイン部分が印刷される、折り畳まれていない製品カートンの平面図である。
【図４Ｂ】図４Ａの製品カートンの４つの外部パネルの平面図である。
【図４Ｃ】図４Ａの製品カートンの４つの外部パネルの平面図である。
【図４Ｄ】図４Ａの製品カートンの４つの外部パネルの平面図である。
【図４Ｅ】図４Ａの製品カートンの４つの外部パネルの平面図である。
【図４Ｆ】折り畳まれたときの図４Ａの製品カートンの斜視図である。
【図４Ｇ】折り畳まれたときの図４Ａの製品カートンの斜視図である。
【図４Ｈ】図４Ａの製品カートンから除去されたデザイン部分の平面図である。
【図５Ａ】標的顔領域が頬領域である、本発明によるツールの斜視図である。
【図５Ｂ】図５Ａのツールの一部の上面図である。
【図６Ａ】標的顔領域が鼻領域である、本発明によるツールの斜視図である。
【図６Ｂ】図６Ａのツールの一部の上面図である。
【図７Ａ】標的顔領域が額領域である、本発明によるツールの斜視図である。
【図７Ｂ】図７Ａのツールの一部の上面図である。
【図８Ａ】標的顔領域が、以下の領域、すなわち口領域、顎領域、及び１本以上の歯の領域のうちの１つ以上である、本発明によるツールの斜視図である。
【図８Ｂ】図８Ａのツールの一部の上面図である。
【図９Ａ】標的顔領域が眼窩周囲領域である、本発明によるツールの斜視図である。
【図９Ｂ】図９Ａのツールの一部の上面図である。
【図１０Ａ】標的顔領域が眼窩周囲領域である、本発明によるツールの斜視図である。
【図１０Ｂ】図１０Ａの一部の上面図である。
【図１１Ａ】標的顔領域が顔領域全体である、本発明によるツールの斜視図である。
【図１１Ｂ】図１１Ａのツールの一部の上面図である。
【発明を実施するための形態】
【００１０】
本発明の種々の実施形態の特徴及び利点は、本発明の幅広い表現を与えるように意図される特定の実施形態の例を含む、以下の記述から明らかになるであろう。様々な修正がこの記述及び本発明の実施から当業者には明白となるであろう。本発明の範囲は、開示される特定の形態に限定されることを意図せず、また本発明は、「特許請求の範囲」により定義されるような本発明の趣旨及び範囲に当てはまる全ての変形形態、等価物、及び代替物を網羅する。
【００１１】
本明細書で使用するとき、「良質画像」という用語は、一貫した再現可能な様式で取込まれ、分析及び／又は評価に好適である画像を指す。画像を一貫した様式で取込むために、画像取込デバイスと共に使用するためのツールが画像取込のために置かれる顔の配置、周囲の明暗、及び焦点距離などの因子は、可能な限り一貫した状態に保たれるべきである。例えば、「良質画像」と見なされる複数の画像のそれぞれに対して、所望又は標的顔領域の複数の画像が、標的顔領域の肌の変化を経時的にモニタするために必要とされる場合、これらの画像のそれぞれは、一貫した再現可能な方法で取込まれるべきであり、分析及び／又は評価に対して好適である。
【００１２】
本明細書で使用するとき、「顔領域」という用語は、使用者の顔全体又は使用者の顔の一部分を指し、以下の領域、すなわち頬、鼻、額、口、顎、１本以上の歯、眼窩周囲領域、及び顔全体のうちの１つ以上を含むが、これらに限定されない。
【００１３】
本明細書で使用するとき、「画像取込デバイス」という用語は、画像（例えば、静止画像又はビデオ）を取込及び／又は記録することができるデバイス又は器具を指す。デバイスは、携帯電話、スマートフォン、タブレット、ラップトップ、腕時計、携帯情報端末を含むモバイル機器又はスマートデバイスの一部であってもよく、又はパーソナルコンピュータの一部であってもよく、又はハンドヘルドカメラなどのスタンドアロンカメラであってもよい。デバイスはまた、光を放出するための内蔵光源（例えば、フラッシュ）を含んでもよい。
【００１４】
図１は、良質画像の取込を可能にする撮像取込デバイス１２と共に使用するためのツール１０の斜視図であり、図２は、使用者１００による使用時のツール１０の側面図である。図示されるように、ツール１０は、壁１８によって接続された第１の端部１４及び第２の端部１６を備え、中空構造体２０を形成し、第１の端部１４と第２の端部１６との間の距離が所定である。第１の端部１４は、画像取込のために、使用者１００の標的顔領域を取り囲む表面（例えば、顔領域の皮膚の一部分）の上に配置するように構成される。画像取込のための標的顔領域としては、以下の顔領域、すなわち頬領域、鼻領域、額領域、口領域、顎領域、１本以上の歯、眼窩周囲領域、及び顔全体の領域のいずれか１つを含んでもよいが、これらに限定されない。
【００１５】
第１の端部１４は、略矩形であってもよく、図１及び図２に示すように、開口底端部の形態であってもよい。好ましくは、第１の端部１４の表面積は、約１，０００ｍｍ２〜約３３，０００ｍｍ２の範囲である。第１の端部１４は、略矩形の形状を有するものとして示されているが、他の形状（例えば、円形、楕円形、正方形、三角形、又は任意の他の多角形の形状など）をとることができることを理解されたい。
【００１６】
好ましくは、第１の端部１４と第２の端部１６との間の所定の距離は、約８０ｍｍ〜約６００ｍｍの範囲である。この好ましい範囲は、取込む画像の明確な焦点を可能にすると同時に、使用者１００が、ツール１０を使用するときに使用者の腕を過度に伸張させる必要なく、使用者自身の顔の良質画像又は画像を快適に取込むことを可能にする。第１の端部１４と第２の端部１６との間の最小距離は、画像取込デバイス１２の最小焦点距離に対応してもよく、焦点距離は、画像取込デバイス１２の仕様に応じて８０ｍｍ未満であってもよいことを理解されたい。第１の端部１４と第２の端部１６との間の最大距離は、使用者１００が使用者自身で良質画像を取込むために依然使用できる限り、６００ｍｍより大きくてもよいことも理解されたい。
【００１７】
第２の端部１６は、第１の端部１４に面する内面２２及び外面２４を備え、画像取込デバイス１２を受容及び／又は配置するように構成されている。第２の端部１６は、図１に示す円形であってもよい。好ましくは、第２の端部１６の表面積は、約１，０００ｍｍ２〜約３３，０００ｍｍ２の範囲である。第２の端部１６は円形の形状を有するものとして示されているが、他の形状（例えば、楕円形、正方形、三角形、矩形、又は任意の他の多角形の形状など）をとることができることを理解されたい。第２の端部１６は、画像取込デバイス１２のレンズ側の面３０が第２の端部１６の外面２４に隣接しているときに、画像取込デバイス１２のレンズ２８を配置するための窓２６を備える。
【００１８】
ツール１０は、鏡又は画像を反射する任意の反射面などの反射デバイス３２を更に備え、これは第１の端部１４の配置を面の上に位置合わせするために、第２の端部１６の内面２２に位置付けられ、その結果使用者１００が使用者の眼、使用者の眼の眉、眼窩周囲領域の使用者の１つ以上の笑い線又は目尻の足、又は眼窩周囲領域若しくは顔領域の任意の好適な基準点などの所定の対象の反射を反射デバイス３２にて位置付けることを可能にすることによって、画像取込のために標的顔領域が中空構造体２０によって取り囲まれる。好ましくは、所定の対象は、使用者の眼である。第２の１６の内面２２における反射デバイス３２の位置は所定である。使用者１００が、反射デバイス３２の所定の対象の反射を位置付けたときに、標的顔領域の良質画像が画像取込デバイス１２によって取込まれ得る。画像は、手作業又は自動的に取込まれ得る。好ましくは、ツール１０は、使用者１００が反射デバイス３２の所定の対象の反射を位置付けたときに、画像取込デバイス１２による自動画像取込を可能にするための、所定の対象に対する認識特徴を有するソフトウェアアプリケーション又は「アプリ」と共に使用される。
【００１９】
典型的な携帯電話及び他のハンドヘルドデバイスでは、画像取込デバイス１２のレンズ側の面３０が第２の端部１６の外面２４に隣接しているとき、反射デバイス３２の所定の位置は、典型的には、画像取込デバイス１２のレンズ２８に対して約３ｍｍ〜約１０６ｍｍの距離にある。ただし、所定の位置は、所望の結果に対しいずれかの好適な位置であり得る。反射デバイス３２の位置は、観察される所定の対象及び所望の顔領域の選択に基づいて決定することができる。レンズ２８に対する反射デバイス３２の間の距離は、レンズ２８の中心から、レンズ２８に最も近い反射デバイス３２の縁部までと測定される。反射デバイス３２の配置は、特定のスポットに固定されてもよく、又は、レンズ２８に対する反射デバイス３２の間の距離が約３ｍｍ〜約１０６ｍｍの距離にあるのであれば、例えば使用者１００によって調整可能であってもよい。反射デバイス３２の反射表面積は、好ましくは約８０ｍｍ２〜約６５０ｍｍ２の範囲である。反射デバイス３２は矩形の形状を有するものとして示されているが、他の形状（例えば、円形、楕円形、正方形、三角形、又は任意の他の多角形の形状など）をとることができることを理解されたい。
【００２０】
第２の端部１６の内面２２は、壁１８と角度３４を形成し、角度３４は、好ましくは約８０度〜約１３５度の範囲である。より好ましくは、角度３４は、約９０度〜約１３５度の範囲である。これらの範囲は、有利にも、第１の端部１４によって取り囲まれた表面が、標的顔領域を適切に覆い、ツール１０の壁１８が標的顔領域の画像の一部として取込まれることを防止又は最小化することを確実にする。
【００２１】
ツール１０は、画像取込デバイス１２のレンズ側の面３０が第２の端部１６の外面２４に隣接するように、ツール１０と画像取込デバイス１２との間の接続を容易にするためのコネクタを更に備えてもよい。コネクタとしては、例えば、接着剤、フックアンドループファスナー、磁気ファスナー、クリップファスナー、弾性ファスナー、及び吸引カップファスナーなどが挙げられる。いくつかの実施形態では、画像取込デバイス１２は、レンズ側の面３０が外面２４に隣接し、レンズ２８が窓２６の中で位置合わせされるように、画像取込デバイス１２のレンズ側の面３０を第２の端部１６の外面２４に対して所定の位置に手作業で保持することによって、ツール１０に接続してもよい。
【００２２】
ツール１０は、第２の端部１６の内面２４に位置付けられる光源を更に備えてもよい。好ましくは、光源はＬＥＤ光源であるが、任意の好適な光源を使用することができる。画像取込デバイス１２は、ＬＥＤ光源などの内蔵の光源を備えても、又は外部光源を使用してもよい。画像取込デバイス１２は、モバイル機器又はスマートデバイスの一部、好ましくは、携帯電話、スマートフォン、タブレット、ラップトップ、腕時計、若しくはパーソナルデジタルアシスタントを含むがこれらに限定されない、所望の使用に好適な画像を取込むことができる任意のデバイスであってもよく、又はパーソナルコンピュータの一部であってもよく、又はハンドヘルドカメラであってもよい。
【００２３】
ツール１０は、任意の好適な材料で作製することができる。例えば、ツール１０は、周囲の光又は環境の光がツール１０を貫通することを防止又は低減する１つ以上の材料で作製して、制御された照明空間を作り出してツール１０の中空構造体２０の内部が周囲又は環境明暗状態になるのを回避し得る。ツール１０の壁１８は好ましくは不透明であり、紙、板紙、ポリスチレン、ポリスチレンテレフタレート、ポリプロピレン、及びシリコンゴムなどの材料から作製されてもよい。ツール１０はまた、使い捨て又は再利用可能であってもよい。ツール１０はまた、使用されていないときに平坦な平面に折り畳み可能であってもよい。
【００２４】
ツール１０の断面は、実質的に矩形の形状を有してもよい。ただし、ツール１０の断面は、他の形状（例えば、円形、四角錐、四角柱、又は楕円の錐体など）をとることができることを理解されたい。
【００２５】
有利にも、ツール１０を使用して、複数回の使用を通して同じ距離にて、同じ標的顔領域で画像取込デバイス１２のレンズ２８を位置合わせさせるために使用することができる。したがって、ツール１０は、使用者１００が、一貫した光の状態、一貫した焦点距離、及びツール１０が画像取込のために置かれる一貫した配置で、同じ標的顔領域の画像を取込むことを可能にし、そのような画像は再現可能であり、経時的な標的顔領域の正確な評価を可能にする分析及び／又は評価に好適である。
【００２６】
以下、本発明に係る画像取込デバイス１２及びツール１０を用いて良質画像を取込む方法について説明する。方法は、画像取込デバイス１２のレンズ側の面３０が第２の端部１６の外面２４に隣接するように、ツール１０の第２の端部１６を、コネクタによって画像取込デバイス１２のレンズ側の面３０に位置付けることを含む。方法は、ツール１０の第１の端部１４を、画像取込のために、使用者１００の標的顔領域を取り囲む表面上に配置することを更に含む。方法はまた、第１の端部１４の配置を位置合わせして、その結果使用者１００が使用者の眼、使用者の眼の眉、眼窩周囲領域の使用者の１つ以上の笑い線又は目尻の足、又は眼窩周囲領域若しくは顔領域などの任意の好適な基準点などの所定の対象の反射を反射デバイス３２にて位置付けることを可能にすることによって、標的顔領域を画像取込のために取り囲むことと、使用者１００が反射デバイス３２の所定の対象の反射を位置付けるときに、画像取込デバイス１２を使用して標的顔領域の良質画像を取込むことと、を含む。好ましくは、所定の対象は、使用者の眼である。方法は、使用者１００が反射デバイス３２の所定の対象の反射を位置付けるときに、画像取込デバイス１２による自動画像取込を可能にするための、所定の対象に対する認識特徴を有するソフトウェアアプリケーション又は「アプリ」と共にツール１０を使用することを更に含む。
【００２７】
ツール１０は、カートン又は製品のカートンの一部、例えば、スキンケア製品又は口腔ケア製品を備えてもよい。ツール１０の設計は、カートンの表面上に印刷されてもよく（例えば、製品の外側パッケージ又は箱）、又はカートンの材料に切断又は穿孔されてもよい。スキンケア製品又は口腔ケア製品などの製品は、カートンの内部に収容されてもよい。使用者１００は、ツール１０内へとカートンを修正するための命令（例えば、打ち抜き、切断、折り畳み、及び／又は糊抜きによって）が得られる。
【００２８】
図３Ａは、本発明による、折り畳まれていない（すなわち、カートンブランク）製品カートン５０の平面図を示す。製品カートン５０は、内面及び外面を備え、表面のうちの少なくとも１つは、ツール１０を提供するように構成されたデザイン部分５４を備える。デザイン部分５４は、表面のうちの少なくとも１つに印刷されてもよい。この例では、デザイン部分５４は、図３Ａに示すように、外部パネル５２Ａ〜５２Ｅに印刷される。デザイン部分５４が製品カートン５０に印刷されているように示されているが、デザイン部分５４は、製品カートン５０の材料に切断又は穿孔され得ることを理解されたい。
【００２９】
製品カートン５０が折り畳まれると、パネル５２Ｂ〜５２Ｅは使用者１００にとって視認可能であり、パネル５２Ａは、図３Ｂ〜図３Ｇに示されるように使用者１００にとって視認不可能である。別の例では、デザイン部分５４は、外部パネル５２Ａ〜５２Ｅの裏側（すなわち、製品カートン５０の内面）に印刷されてもよく、製品カートン５０が折り畳まれたときに、デザイン部分５４は使用者にとって視認不可能である。別の例では、デザイン部分５４は、外部パネル５２Ａ〜５２Ｅのうちの１つ以上、及び外部パネル５２Ａ〜５２Ｅの１つ以上の裏面に印刷されてもよく、その結果、デザイン部分５４の一部は使用者１００に視認可能であり、デザイン部分５４の別の部分は、製品カートン５０が折り畳まれたときに使用者１００にとって視認不可能である。
【００３０】
デザイン部分５４は、製品カートン５０が折り畳まれていない又は折り畳まれたときに、製品カートン５０から除去されてもよい。図３Ｈに示すように、デザイン部分５４が製品カートン５０から除去されると、除去されたデザイン部分５４は、ツール１０を形成するために組み立てられてもよい。この例では、ツール１０は、組み立てられたときに四角形プリズムの形状をとる。デザイン部分５４は、ツール１０が組み立てられたときにツール１０の第２の端部１６の内面２２に位置付けられる反射デバイス３２を備えてもよい。別の例では、反射デバイス３２は、デザイン部分５４の一部でなくてもよく、別個に設けられてもよい。
【００３１】
除去されたデザイン部分５４からツール１０を組み立てるための命令は、製品カートン５０、例えば、製品カートン５０を、ツール１０に打ち抜き、切断、折り畳み、及び／又は接着することによって、修正するための命令が提供されてもよい。
【００３２】
図４Ａは、本発明による、折り畳まれていない（すなわち、カートンブランク）製品カートン６０の平面図を示す。製品カートン６０は、内面及び外面を備え、表面のうちの少なくとも１つは、ツール１０を提供するように構成されたデザイン部分６４を備える。デザイン部分６４は、表面のうちの少なくとも１つに印刷されてもよい。この例では、デザイン部分６４は、図４Ａに示すように、外部パネル６２Ａ〜６２Ｅに印刷される。デザイン部分６４が製品カートン６０上に印刷されているように示されているが、デザイン部分６４は、製品カートン６０の材料に切断又は穿孔され得ることを理解されたい。
【００３３】
製品カートン６０が折り畳まれると、パネル６２Ｂ〜６２Ｅは使用者１００にとって視認可能であり、パネル６２Ａは、図４Ｂ〜図４Ｇに示されるように使用者１００にとって視認不可能である。別の例では、デザイン部分６４は、外部パネル６２Ａ〜６２Ｅの裏側（すなわち、製品カートン６０の内面）に印刷されてもよく、製品カートン６０が折り畳まれたときに、デザイン部分６４は使用者にとって視認不可能である。別の例では、デザイン部分６４は、外部パネル６２Ａ〜６２Ｅのうちの１つ以上、及び外部パネル６２Ａ〜６２Ｅの１つ以上の裏面に印刷されてもよく、その結果、デザイン部分６４の一部は使用者１００に視認可能であり、デザイン部分６４の別の部分は、製品カートン６０が折り畳まれたときに使用者１００にとって視認不可能である。
【００３４】
デザイン部分６４は、製品カートン６０が折り畳まれていない又は折り畳まれたときに、製品カートン６０から除去されてもよい。図４Ｈに示すように、デザイン部分６４が製品カートン６０から除去されると、除去されたデザイン部分６４は、ツール１０を形成するために組み立てられてもよい。この例では、ツール１０は、組み立てられたときに、円形プリズムの形状をとる。デザイン部分６４は、ツール１０が組み立てられたときにツール１０の第２の端部１６の内面２２に位置付けられる反射デバイス３２を備えてもよい。別の例では、反射デバイス３２は、デザイン部分６４の一部でなくてもよく、別個に提供されてもよい。
【００３５】
除去されたデザイン部分６４からツール１０を組み立てるための命令は、製品カートン６０、例えば、製品カートン６０を、ツール１０に打ち抜き、切断、折り畳み、及び／又は接着することによって、修正するための命令が提供されてもよい。
【実施例】
【００３６】
頬領域
図５Ａは、画像取込のための標的顔領域が頬領域である、本発明によるツール１０の斜視図である。この実施例では、第１の端部１４の形状は矩形であり、第１の端部１４の長さ及び幅は、それぞれ約１２５ｍｍ及び約１０１ｍｍである。ツール１０の第２の端部１６の形状は、実質的に正方形であり、図５Ｂに示すように第２の端部１６の内面２２の長さ及び幅は、それぞれ約５５ｍｍ及び約５４ｍｍである。第１の端部１４と第２の端部１６との間の所定の距離は、約１００ｍｍである。
【００３７】
内面２２における反射デバイス３２の所定の位置は、図５Ｂに示すように、内面２２の陰影部分２００によって定められる。陰影部分２００の長さ及び幅は、それぞれ約３０ｍｍ及び約２１．５ｍｍである。反射デバイス３２は、陰影部分２００のどこに置かれてもよい。図示の実施例では、反射デバイス３２は、１３ｍｍ×１３ｍｍと測定される正方形の形態で成形される。
【００３８】
鼻領域
図６Ａは、画像取込のための標的顔領域が鼻領域である、本発明のツール１０の別の実施例の斜視図である。この実施例では、第１の端部１４の形状は矩形であり、第１の端部１４の長さ及び幅は、それぞれ約１００ｍｍ及び約９５ｍｍである。ツール１０の第２の端部１６の形状は矩形であり、図６Ｂに示されるように、第２の端部１６の内面２２の長さ及び幅は、それぞれ約１００ｍｍ及び約９５ｍｍである。第１の端部１４と第２の端部１６との間の所定の距離は、約１１０ｍｍである。
【００３９】
内面２２における反射デバイス３２の所定の位置は、図６Ｂに示すように、内面２２の陰影部分３００によって定められる。陰影部分２００の長さ及び幅は、それぞれ約９５ｍｍ及び約７０ｍｍである。反射デバイス３２は、陰影部分３００のどこに配置されてもよい。図示の実施例では、反射デバイス３２は、１３ｍｍ×１３ｍｍと測定される正方形の形態で成形される。
【００４０】
額領域
図７Ａは、画像取込のための標的顔領域が額領域である、本発明の別の実施例によるツール１０の斜視図である。この実施形態では、第１の端部１４の形状は矩形であり、第１の端部１４の長さ及び幅は、それぞれ約１００ｍｍ及び約９５ｍｍである。ツール１０の第２の端部１６の形状は矩形であり、図７Ｂに示されるように、第２の端部１６の内面２２の長さ及び幅は、それぞれ約１００ｍｍ及び約９５ｍｍである。第１の端部１４と第２の端部１６との間の所定の距離は、約１１０ｍｍである。
【００４１】
内面２２における反射デバイス３２の所定の位置は、図７Ｂに示すように、内面２２の陰影部分４００によって定められる。陰影部分４００の長さ及び幅は、それぞれ約９５ｍｍ及び約３５ｍｍである。反射デバイス３２は、陰影部分４００のどこに配置されてもよい。図示の実施例では、反射デバイス３２は、１３ｍｍ×１３ｍｍと測定される正方形の形態で成形される。
【００４２】
口領域、顎領域、１本以上の歯の領域
図８Ａは、画像取込のための標的顔領域が、以下の顔領域、すなわち口領域、顎領域、及び１本以上の歯の領域のうちの１つ以上である、本発明の別の実施例によるツール１０の斜視図である。この実施例では、第１の端部１４の形状は矩形であり、第１の端部１４の長さ及び幅は、それぞれ約１００ｍｍ及び約９５ｍｍである。ツール１０の第２の端部１６の形状は矩形であり、図８Ｂに示されるように、第２の端部１６の内面２２の長さ及び幅は、それぞれ約１００ｍｍ及び約９５ｍｍである。第１の端部１４と第２の端部１６との間の所定の距離は、約１００ｍｍである。
【００４３】
内面２２における反射デバイス３２の所定の位置は、図８Ｂに示すように、内面２２の陰影部分５００によって定められる。陰影部分５００の長さ及び幅は、それぞれ約９５ｍｍ及び約４０ｍｍである。反射デバイス３２は、陰影部分５００のどこに配置されてもよい。図示の実施例では、反射デバイス３２は、１３ｍｍ×１３ｍｍと測定される正方形の形態で成形される。
【００４４】
眼窩周囲領域
図９Ａは、画像取込のための標的顔領域が眼窩周囲領域である、本発明の別の実施例によるツール１０の斜視図である。この実施例では、第１の端部１４の形状は円形であり、第１の端部１４の直径は約３６ｍｍである。ツール１０の第２の端部１６の形状も円形であり、図９Ｂに示されているように、第２の端部１６の内面２２の直径は約３６ｍｍである。第１の端部１４と第２の端部１６との間の所定の距離は、約１００ｍｍである。
【００４５】
内面２２における反射デバイス３２の所定の位置は、図９Ｂに示すように、内面２２の陰影部分６００によって定められる。陰影部分６００の直径は約３６ｍｍである。反射デバイス３２は、陰影部分６００のどこに置かれてもよい。図示の実施例では、反射デバイス３２は、１３ｍｍ×１３ｍｍと測定される正方形の形態で成形される。
【００４６】
図１０Ａは、画像取込のための標的顔領域が眼窩周囲領域である、本発明の別の実施例によるツール１０の斜視図である。この実施例では、第１の端部１４の形状は矩形であり、第１の端部１４の長さ及び幅は、それぞれ約１２５ｍｍ及び１０１ｍｍである。ツール１０の第２の端部１６の形状は、実質的に正方形であり、図１０Ｂに示すように第２の端部１６の内面２２の長さ及び幅は、それぞれ約５５ｍｍ及び約５４ｍｍである。第１の端部１４と第２の端部１６との間の所定の距離は、約１００ｍｍである。
【００４７】
内面２２における反射デバイス３２の所定の位置は、図１０Ｂに示すように、内面２２の陰影部分７００によって定められる。陰影部分７００の長さ及び幅は、それぞれ約５５ｍｍ及び約５４ｍｍである。反射デバイス３２は、陰影部分７００のどこに配置されてもよい。図示の実施例では、反射デバイス３２は、１３ｍｍ×１３ｍｍと測定される正方形の形態で成形される。
【００４８】
顔領域全体
図１１Ａは、画像取込のための標的顔領域が顔領域全体である、本発明の別の実施例によるツール１０の斜視図である。この実施例では、第１の端部１４の形状は矩形であり、第１の端部１４の長さ及び幅は、それぞれ約２２０ｍｍ及び約１５０ｍｍである。ツール１０の第２の端部１６の形状は矩形であり、図１１Ｂに示されるように、第２の端部１６の内面２２の長さ及び幅は、それぞれ約２２０ｍｍ及び約１５０ｍｍである。第１の端部１４と第２の端部１６との間の所定の距離は、約１１０ｍｍである。
【００４９】
内面２２における反射デバイス３２の所定の位置は、図１１Ｂに示すように、内面２２の陰影部分８００によって定められる。陰影部分８００の長さ及び幅は、それぞれ約１５０ｍｍ及び約１１５ｍｍである。反射デバイス３２は、陰影部分８００のどこに配置されてもよい。図示の実施例では、反射デバイス３２は、１３ｍｍ×１３ｍｍと測定される正方形の形態で成形される。
【００５０】
組み合わせ／実施例
Ａ．良質画像の取込を可能にするための画像取込デバイスと共に使用するためのツールであって、
少なくとも１つの壁によって接続されている第１の端部及び第２の端部であって、第１の端部が、画像取込用の使用者の標的顔領域を取り囲む表面上に配置されるように構成され、第２の端部が、画像取込デバイスを受容するように構成され、第２の端部が、第１の端部に面する内面及び外面を備える、第１の端部及び第２の端部と、
第１の端部の配置を面の上に位置合わせするために、第２の端部の内面に位置付けられる反射デバイスであって、使用者が反射デバイスの所定の対象の反射を位置付けることを可能にすることによって、標的顔領域が画像取込のために取り囲まれるようにする、反射デバイスと、を備え、
第１の端部と第２の端部との間の距離が所定のものであり、第２の端部の内面における反射デバイスの位置付けが所定のものであり、使用者が反射デバイスの所定の対象の反射を位置付けるとき、標的顔領域の良質画像が画像取込デバイスによって取込まれ得る、ツール。
Ｂ．第１の端部と第２の端部との間の所定の距離が、画像取込デバイスの最小焦点距離に対応する、パラグラフＡに記載のツール。
Ｃ．第１の端部と第２の端部との間の所定の距離が、約８０ｍｍ〜約６００ｍｍの範囲である、パラグラフＡ又はＢに記載のツール。
Ｄ．画像取込のための標的顔領域が、以下の顔領域、すなわち頬領域、鼻領域、額領域、口領域、顎領域、１本以上の歯、眼窩周囲領域、及び顔全体の領域のうちのいずれか１つを備える、パラグラフＡ〜Ｃのいずれかに記載のツール。
Ｅ．第１の端部及び第２の端部のそれぞれの表面積が、約１，０００ｍｍ２〜約３３，０００ｍｍ２の範囲である、パラグラフＡ〜Ｄのいずれかに記載のツール。
Ｆ．第２の端部が、画像取込デバイスのレンズ側の面が第２の端部の外面に隣接しているときに、画像取込デバイスのレンズを配置するための窓を備える、パラグラフＡ〜Ｅのいずれかに記載のツール。
Ｇ．画像取込デバイスのレンズ側の面が第２の端部の外面に隣接しているとき、反射デバイスの所定の位置付けが、画像取込デバイスのレンズに対して約３ｍｍ〜約１０６ｍｍの距離にある、パラグラフＡ〜Ｆのいずれかに記載のツール。
Ｈ．反射デバイスの反射表面積が、約８０ｍｍ２〜約６５０ｍｍ２の範囲である、パラグラフＡ〜Ｅのいずれかに記載のツール。
Ｉ．第２の端部の内面が、少なくとも１つの壁と角度を形成し、角度が、約８０度〜約１３５度、好ましくは約９０度〜約１３５度の範囲である、パラグラフＡ〜Ｈのいずれかに記載のツール。
Ｊ．画像取込デバイスのレンズ側の面が第２の端部の外面に隣接するように、ツールを画像取込デバイスに接続するためのコネクタを更に備える、パラグラフＡ〜Ｉのいずれかに記載のツール。
Ｋ．コネクタが、接着剤、フックアンドループファスナー、磁気ファスナー、クリップファスナー、弾性ファスナー、及び吸引カップファスナーからなる群から選択される、パラグラフＪに記載のツール。
Ｌ．ツールが、紙、板紙、ポリスチレン、ポリスチレンテレフタレート、ポリプロピレン、及びシリコンゴムからなる群から選択される１つ以上の材料から作製される、パラグラフＡ〜Ｋのいずれかに記載のツール。
Ｍ．第２の端部に位置付けられた光源を更に備える、パラグラフＡ〜Ｌのいずれかに記載のツール。
Ｎ．画像取込デバイスが、モバイル機器若しくはスマートデバイス、好ましくは携帯電話、スマートフォン、タブレット、ラップトップ、腕時計、若しくはパーソナルデジタルアシスタントの一部であるか、パーソナルコンピュータの一部であるか、ハンドヘルドカメラである、パラグラフＡ〜Ｍのいずれかに記載のツール。
Ｏ．ツールが、使用者が反射デバイスの所定の対象の反射を位置付けるときに、画像取込デバイスによる自動画像取込を可能にするための、所定の対象に対する認識特徴を有するソフトウェアアプリケーションと共に使用される、パラグラフＡ〜Ｎのいずれかに記載のツール。
Ｐ．所定の対象が、使用者の眼、使用者の眉、眼窩周囲領域の使用者の１つ以上の笑い線又は目尻の足、又は眼窩周囲領域若しくは顔領域の基準点であり、好ましくは所定の対象が使用者の眼である、パラグラフＡ〜Ｏのいずれかに記載のツール。
Ｑ．ツールが、製品、好ましくはスキンケア製品又は口腔ケア製品のカートン又はカートンの一部を備える、パラグラフＡ〜Ｐのいずれかに記載のツール。
Ｒ．ツールが不透明である、パラグラフＡ〜Ｑのいずれかに記載のツール。
Ｓ．ツールが使い捨て又は再使用可能である、パラグラフＡ〜Ｒのいずれかに記載のツール。
Ｔ．第１の端部及び第２の端部のそれぞれが、円形、楕円形、又は多角形の形態で成形されている、パラグラフＡ〜Ｓのいずれかに記載のツール。
Ｕ．モバイル機器、スマートデバイス、パーソナルコンピュータ、又はハンドヘルドカメラが内蔵光源を備える、パラグラフＮに記載のツール。
Ｖ．画像取込デバイス及び画像取込デバイスと共に使用するためのツールを使用して良質画像を取込むための方法であって、ツールが、少なくとも１つの壁によって接続された第１の端部及び第２の端部を含み、第２の端部が、第１の端部に面する内面及び外面と、第２の端部の内面に位置付けられる反射デバイスと、を備え、
画像取込デバイスのレンズ側の面が第２の端部の外面に隣接するように、ツールの第２の端部をコネクタによって画像取込デバイスのレンズ側の面に位置付けることと、
ツールの第１の端部を、画像取込のために、使用者の標的顔領域を取り囲む表面上に配置することと、
第１の端部の位置を位置合わせして、その結果使用者が反射デバイスの所定の対象の反射を位置付けることを可能にすることによって、標的顔領域が画像取込のために取り囲まれるようにすることと、
画像取込デバイスを使用して、使用者が反射デバイスの所定の対象の反射を位置付けたときに、標的顔領域の良質画像を取込むこととを含み、
第１の端部と第２の端部との間の距離が所定であり、第２の端部の内面における鏡の位置が所定である、方法。
Ｗ．使用者が反射デバイスの所定の対象の反射を位置付けるときに、画像取込デバイスによる自動画像取込を可能にするための、所定の対象に対する認識特徴を有するソフトウェアアプリケーションと共にツールを使用することを更に含む、パラグラフＶに記載の方法。
Ｘ．所定の対象が、使用者の眼、使用者の眉、眼窩周囲領域の使用者の１つ以上の笑い線又は目尻の足、又は眼窩周囲領域若しくは顔領域の基準点であり、好ましくは所定の対象が使用者の眼である、パラグラフＶ又はＷに記載の方法。
Ｙ．製品カートンであって、
内面及び外面であって、表面のうちの少なくとも１つが、良質画像の取込を可能にするための画像取込デバイスと共に使用するためのツールを提供するように構成されたデザイン部分を備え、デザイン部分が製品カートンから除去されるときに、除去されたデザイン部分は、少なくとも１つの壁によって接続されている第１の端部及び第２の端部を備えるツールを形成するために組み立てられてもよく、第１の端部は、画像取込のために使用者の標的顔領域を取り囲む表面上に配置されるように構成され、第２の端部が、画像取込デバイスを受容するように構成され、第２の端部は、第１の端部に面する内面と、外面と、を備え、内面は第１の端部の配置を表面上に位置合わせするための反射デバイスを受容するように構成され、その結果使用者が反射デバイスの所定の対象の反射を位置付けることを可能にすることによって、標的顔領域が画像取込のために取り囲まれるようにし、第１の端部と第２の端部との間の距離が所定であり、第２の端部の内面における反射デバイスの位置付けが所定であり、使用者が反射デバイス内の所定の対象の反射を位置付けたとき、標的顔領域の良質画像が画像取込デバイスによって取込まれ得る内面及び外面を備える、製品カートン。
Ｚ．デザイン部分が、ツールが組み立てられたときにツールの第２の端部の内面に位置付けられる反射デバイスを備える、パラグラフＹに記載の製品カートン。
ＡＡ．デザイン部分が、製品カートンの材料に穿孔されている、パラグラフＹ又はＺに記載の製品カートン。
ＢＢ．デザイン部分が、製品カートンの少なくとも１つの表面上に印刷されている、パラグラフＹ、Ｚ、及びＡＡのいずれか１つに記載の製品カートン。
ＣＣ．製品が製品カートンの内部に収容され、好ましくは製品がスキンケア製品又は口腔ケア製品である、パラグラフＹ、Ｚ、ＡＡ、及びＢＢのいずれか１つに記載の製品カートン。
ＤＤ．除去されたデザイン部分からツールを組み立てるための命令を更に備える、パラグラフＹ、Ｚ、ＡＡ、ＢＢ、及びＣＣのいずれかに記載の製品カートン。
【００５１】
本明細書中で「実施形態（複数可）」等と言った場合、その実施形態と関連付けて説明される特定の材料、特徴、構造及び／又は特性が少なくとも１つの実施形態、場合によりいくつかの実施形態に含まれることを意味するが、全ての実施形態が記載される材料、特徴、構造、及び／又は特性を含むことを意味するものではない点は理解されよう。更に、材料、特徴、構造、及び／又は特性は、異なる実施形態にわたって、任意の好適な方法で組み合わされてもよく、材料、特徴、構造、及び／又は特性は、説明されるものから除外されてもよいし、代用されてもよい。したがって、本明細書に記載されている実施形態及び態様は、別段明記しない限り又は不適合性が明示されてされない限り、組み合わせて明示的に例示されていなくても、他の実施態様及び／又は態様の要素又は構成成分を含むか又はこれらと組み合わされることが可能である。
【００５２】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。本明細書に記載される全ての数値範囲はより狭い範囲を包含する。区切られた上下の範囲制限は、明示的に区切られていない更なる範囲を作る上で互換性がある。本明細書に記載する実施形態は、本明細書に記載の必須構成要素並びに任意成分を含み得る、それらから本質的になり得る、又はそれらからなり得る。本明細書及び添付の特許請求の範囲において使用される単数形「ａ」、「ａｎ」、及び「ｔｈｅ」は、文脈が明らかに他の意味を示さない限り、複数形も含むものとする。
【００５３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００５４】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021515640.tif 000003
【図２】
2021515640.tif 000004
【図３Ａ】
2021515640.tif 000005
【図３Ｂ】
2021515640.tif 000006
【図３Ｃ】
2021515640.tif 000007
【図３Ｄ】
2021515640.tif 000008
【図３Ｅ】
2021515640.tif 000009
【図３Ｆ】
2021515640.tif 000010
【図３Ｇ】
2021515640.tif 000011
【図３Ｈ】
2021515640.tif 000012
【図４Ａ】
2021515640.tif 000013
【図４Ｂ】
2021515640.tif 000014
【図４Ｃ】
2021515640.tif 000015
【図４Ｄ】
2021515640.tif 000016
【図４Ｅ】
2021515640.tif 000017
【図４Ｆ】
2021515640.tif 000018
【図４Ｇ】
2021515640.tif 000019
【図４Ｈ】
2021515640.tif 000020
【図５Ａ】
2021515640.tif 000021
【図５Ｂ】
2021515640.tif 000022
【図６Ａ】
2021515640.tif 000023
【図６Ｂ】
2021515640.tif 000024
【図７Ａ】
2021515640.tif 000025
【図７Ｂ】
2021515640.tif 000026
【図８Ａ】
2021515640.tif 000027
【図８Ｂ】
2021515640.tif 000028
【図９Ａ】
2021515640.tif 000029
【図９Ｂ】
2021515640.tif 000030
【図１０Ａ】
2021515640.tif 000031
【図１０Ｂ】
2021515640.tif 000032
【図１１Ａ】
2021515640.tif 000033
【図１１Ｂ】
2021515640.tif 000034
【国際調査報告】
2021515640.tif 000035
2021515640.tif 000036
2021515640.tif 000037